(57)【要約】【課題】  綿棒の細部の形状を一部改変するだけの簡単な構成によって、綿棒の用途の拡大を図り、例えば、イボ等の除去にかかる費用の削減と患者に与える精神的あるいは肉体的な負担を軽減させることができる新規な綿棒を提供する。【解決手段】  本発明の綿棒は、軸部の一端ないし両端に綿部を備えた綿棒において、上記綿部の先端部に所定深さの切込み部を形成することによって構成されており、医療現場や家庭における治療補助具としての機能を高めることができ、例えば、液体窒素を綿部に含浸させてイボに押し付けこれを冷凍・除去するような使い方が考えられる。【選択図】  図１
2011120624.tif 000002
【特許請求の範囲】
【請求項１】
軸部の一端ないし両端に綿部を備えた綿棒において、
上記綿部の先端部に所定深さの切込み部が形成されていることを特徴とする綿棒。
【請求項２】
請求項１記載の綿棒において、
上記切込み部は、複数の切込み線又は切込み溝を放射状に交差させることによって形成されていることを特徴とする綿棒。
【請求項３】
請求項２記載の綿棒において、
上記切込み線又は切込み溝は十字形状に設けられていることを特徴とする面棒。  
【請求項４】
請求項１〜請求項３の何れかに記載の綿棒において、
上記綿部を液体窒素に浸して液体窒素を含浸させた後、上記綿部によってイボを被冠するように押し付け、それによって、イボを冷凍・除去させる治療に供する治療補助具として使用されることを特徴とする綿棒。
【発明の詳細な説明】
【技術分野】
【０００１】
本発明は、例えば、医療現場や家庭において消毒液等を塗布するための治療補助具、耳や鼻の掃除具、化粧の補助具、精密機器等の清掃具等として使用されている綿棒に係り、特に綿部の先端部の形状を工夫することにより、医療現場や家庭における治療補助具としての機能を高めるようにしたものに関する。
【背景技術】
【０００２】
下記の特許文献１、特許文献２に示すように、木軸や紙軸によって構成されている軸部の一端ないし両端に綿繊維を丸めて膨らみを持たせた綿部を備えた綿棒が従来から使用されている。上記綿棒は耳や鼻の掃除等に使用されている一般用の他、化粧に使用されている化粧用、細菌検査や患部の消毒等に使用されている医療用、精密機器の細部の清掃等に使用されている工業用等があり、種々の分野で幅広く使用されている。
【０００３】
ところで、医療現場においては、身体の表面にできた「イボ」等を効果的に除去する為の様々な取り組みがなされている。この点について詳しく説明する。
皮膚に生じる様々な小腫瘍には、代表的なものとして、ヒトパピローマウイルスによる感染症である疣贅、すなわち尋常性疣贅（いわゆるいぼ）、足底疣贅（足の裏にできるイボ）あるいは尖圭コンジローマ（性器のイボ）、ヒトポックスウイルス感染症である伝染性軟属腫（いわゆる水イボ）、老人性角化症（いわゆる年寄りのイボ）、老人性色素斑、日光角化症、スキンタッグ、色素性母斑（いわゆるほくろ）などがある。
【０００４】
感染性の疣贅は、一般に足底・頭・肘・膝・指の関節等、通常時も皮膚への刺激が多い部位にできやすく、治療を行っても治りが悪いのみならず、その表面からウイルスを常時排出しているため、他人の皮膚に感染し、同様の疣贅が生じることがあるため、早急に確実に除去できる治療の必要がある。又、手掌や足底などにできたヒトパピローマウイルスによる疣贅はミルメシアも含め、学童期の子供やスポーツ選手に多く、学校のプールなどで常時ウイルスに感染したり、スポーツにより絶えず皮膚が傷害を受けるため、ウイルスの自家接種がおき、放置しておくと数が飛躍的に増えてくる。又、ウイルスの増殖力が強く、放置しておくと他の皮膚部位に同様の疣贅が現れる。
【０００５】
これら良性腫瘍の治療法としては、例えば、凍結療法（クリオテラピー）、電気凝固、レーザー焼痂、手術切除等の治療法が一般的である。その中でも日常診療では簡便な凍結療法が広く行われている。この種の凍結療法では、液体窒素で患部を瞬間的に凍結させ、部分的に火傷の状態を起こすことにより、患部を壊死に陥らせ、あるいは壊死とともに周囲組織に水疱形成を合わせて引き起こし、患部を皮膚から脱落させ、治癒させるものである。処置そのものにかなりの痛みを伴うほか、処置後も患部に激痛が伴うことがある。
【０００６】
又、上記したように、凍結療法には痛みを伴うため、例えば、尋常性疣贅の場合、１〜３週の間隔をおいて凍結療法を施す。又、治療回数は１〜４回を要する。又、疣贅の数が多いとそれだけ凍結療法を施す回数が増え、治療が苦痛になる  疣贅の液体窒素療法の場合、通常、治療終了４〜７日後に壊死効果が強くみられ、１０〜１４日目には、患部が痂皮形成し、自然に脱落することで治癒する。又、効果に個人差こそあるが、疣贅が壊死組織となり脱落するまでに、凡そ、数週から２ヵ月以上と長い日数が必要とされる。
【０００７】
又、凍結療法には綿球法、スプレー法、凍結プローベ法がある。綿棒による凍結治療の場合、患部のサイズよりやや大きい綿棒をマイナス１９６℃の液体窒素に浸漬させ、直ちに患部に圧抵して凍結させる方法であるが、この方法では、比較的小さい、病変の深達度が３ｍｍ以下の皮膚表層に限局した病変の凍結療法によい。又、スプレー凍結治療の場合、特殊な噴霧器を使い、その先端を患部表面から１ｃｍ離して、ジメチルエーテルなどのガスや液体窒素、液化Ｎ２Ｏガスを０．１〜０．５ｋｇ／ｃｍ2の圧力で５〜３０秒間噴霧することにより、患部を凍結させる。患部の凍結温度は、ジメチルエーテルでは−５７℃、液体窒素では−１９６℃、液化亜酸化窒素ガスでは−８９℃である。
【０００８】
又、凍結プローベを用いる場合は、銅製の凍結端子を直接液体窒素に浸漬して十分に冷却した後患部に押し当てたり、特殊な凍結装置の先端に装着した銅製凍結端子に絶えず冷却剤を補給しながら患部に圧抵することにより治療する。
これら凍結療法の内、スプレー法や凍結プローベ法を行う場合、機器が高価であったり、複雑な操作を必要とする。又、スプレー法は深達性あるいは広範囲の病変の治療に用いられるが、冷却ガスの噴霧範囲の制御が困難で、しばしば、予期せぬ低温火傷を起こすことがある。これらの事情のため、凍結療法を施す場合には日常の診療では綿球法がもっとも良く行われている。
【０００９】
次に、電気凝固法であるが、高周波を発する機器を用いて、局所麻酔下に病変を蒸散させて除去する。その後、約2週間で痂皮が脱落し、しばらく赤味と凹みがみられ、3ヶ月から半年かけてこれらは徐々に消失していく。治療は、病変部の反応を見ながら、3ヶ月に1回程度のペースで処置を行なう。
【００１０】
さらに、レーザー焼痂では、局所麻酔下に炭酸ガスレーザーを用いレーザー光を照射する。レーザー光は約９９％が皮膚組織内の水分に吸収され、そのとき発生した熱エネルギーが病変部を気化・蒸散させる。多くの場合、数回の施術を要する。手術切除では、局所麻酔下に病変部をメスなどで切除して、除去する。
【００１１】
このように、良性腫瘍の治療として、凍結療法（クリオテラピー）、電気凝固法、レーザー焼痂法、手術切除等の治療法があるが、日常の診療では綿球法を採用した凍結療法（クリオテラピー）がもっとも良く行われている。
【先行技術文献】
【特許文献】
【００１２】
【特許文献１】特開２００５−３４９２９６号公報
【特許文献２】特開２００６−１６７３９５号公報
【発明の概要】
【発明が解決しようとする課題】
【００１３】
上記従来の構成によると次のような問題があった。
すなわち、従来の綿球法を採用した凍結療法（クリオテラピー）では、病変部と綿棒の綿球の接触する面積が小さく、かつ液体窒素は常温で容易に気化するため、病変部が冷却される時間が短く、規則的な楕円等温線でみれば、冷却される部分が十分でない。このため、従来の綿球による凍結療法では、皮膚の深部に達する大きな病変に対して十分な効果を発揮できないことがあり、治療抵抗性手掌や足底などにできた疣贅では、凍結療法を行ってもなお、疣贅が拡がってくることがあった。
【００１４】
本発明はこのような点に基づいてなされたものでその目的とするところは、綿棒の細部の形状を一部改変するだけの簡単な構成によって、綿棒の用途の拡大を図り、例えば、イボ等の除去にかかる費用の削減と患者に与える精神的あるいは肉体的な負担を軽減させることができる新規な綿棒を提供することにある。
【課題を解決するための手段】
【００１５】
上記目的を達成するべく本願発明の請求項１による綿棒は、軸部の一端ないし両端に綿部を備えた綿棒において、上記綿部の先端部に所定深さの切込み部が形成されていることを特徴とするものである。
又、請求項２による面棒は、請求項１記載の綿棒において、上記切込み部は、複数の切込み線又は切込み溝を放射状に交差させることによって形成されていることを特徴とするものである。
又、請求項３による綿棒は、請求項２記載の綿棒において、上記切込み線又は切込み溝は十字形状に設けられていることを特徴とするものである。  
又、請求項４による綿棒は、請求項１〜請求項３の何れかに記載の綿棒において、上記綿部を液体窒素に浸して液体窒素を含浸させた後、上記綿部によってイボを被冠するように押し付け、それによって、イボを冷凍・除去させる治療に供する治療補助具として使用されることを特徴とするものである。
【発明の効果】
【００１６】
したがって、本発明による綿棒によると、軸部の一端ないし両端に綿部を備えた綿棒において、上記綿部の先端部に所定深さの切込み部が形成されているから、医療現場や家庭における治療補助具としての機能を高めることができる。例えば、液体窒素を綿部に含浸させてイボに押し付けこれを冷凍・除去するような使い方が考えられる。又、当該綿部に消毒液等を染み込ませて突起状の患部に上記消毒液を塗布する場合に上記切込み部が押し広げられて切込み部の左右の切断面が患部に当接するようになる。これに伴ない、患部に対する綿部の作用面積が拡大し、消毒液等の塗布効率が向上する。イボの除去についてさらに説明すると、綿部の先端に切れ目を入れることにより、病変部と綿部との接触部に隙間ができないようにし、病変部全体が綿部と密着させ、接触面積を大きくすることができる。これにより、従来の綿棒による治療と異なり、液体窒素が気化するまでの時間を延長することが可能となり、病変部が凍結している時間が長くなり、十分に凍結される病変部分が拡大されることになる。
又、上記切込み部を複数の切込み線または切込み溝を放射状に交差させることによって形成した場合には、上記効果をより確実なものとすることができる。又、切込み線又は切込み溝はカッターナイフ等を使用することで簡単に形成できるから綿棒の生産効率も向上する。
又、上記綿棒が、上記綿部を所定時間、液体窒素に浸して冷却凍結した後、患部に作用させて治療に供する治療補助具として使用された場合には、費用がかかり、患者への負担の大きな従来のレーザー治療に代わって、安価で患者への負担の小さなイボ等の新たな治療スタイルが構築できる。
【図面の簡単な説明】
【００１７】
【図１】本発明の第１の実施の形態を示す図で、綿棒を示す斜視図である。
【図２】本発明の第１の実施の形態を示す図で、綿棒を示す側面図である。
【図３】本発明の第１の実施の形態を示す図で、図２中の矢視ＩＩＩ部の拡大図である。
【図４】本発明の第１の実施の形態を示す図で、図３中のＩＶ−ＩＶ矢視図である。
【図５】本発明の第１の実施の形態を示す図で、綿棒をイボ等の除去に使用した場合の作業手順を示す説明図である。
【図６】本発明の第１の実施の形態を示す図で、綿棒を患部に対する消毒液の塗布に使用した場合の作業手順を示す説明図である。
【図７】本発明の第２の実施の形態を示す図で、綿棒の綿部を示す拡大側面図である。
【図８】本発明の第２の実施の形態を示す図で、図７中のＶＩＩＩ―ＶＩＩＩ矢視図である。
【図９】本発明の第３の実施の形態を示す図で、綿棒の綿部を示す拡大側面図である。
【図１０】本発明の第３の実施の形態を示す図で、図９中のＸ−Ｘ矢視図である。
【図１１】本発明の第４の実施の形態を示す図で、綿棒の綿部を示す拡大側断面図である。
【発明を実施するための形態】
【００１８】
以下、図１乃至図６を参照して本発明の（１）第１の実施の形態による綿棒の構造と、当該綿棒を使用してイボ等の除去を行なう作業手順と、患部に対する消毒液の塗布の作業手順とについて説明する。次に、図７、図８を参照して本発明の（２）第２の実施の形態による綿棒の構造について説明し、図９、図１０を参照して本発明の（３）第３の実施の形態による綿棒の構造について説明する。最後に、図１１を参照して本発明の（４）第４の実施の形態による綿棒の構造について説明する。
【００１９】
（１）第１の実施の形態（図１乃至図６参照）
本発明の綿棒１は、紙や木あるいは硬質プラスチック材料等によって形成されていて、直径（ｄ）が、例えば、１．５〜２．５ｍｍ程度、長さ（Ｌ）が、例えば、５０〜１５０ｍｍ程度の軸部３と、天然綿繊維や合成繊維あるいはこれらの混合繊維等によって形成されていて、直径（Ｄ）が、例えば、３〜１０ｍｍ程度、長さ（ａ）が、例えば、１０〜２５ｍｍ程度の綿部５と、を備えることによって構成されている。  
そして、本発明の特徴的構成として、上記綿部５の先端部５ａに所定深さ（一例として０．５〜３．５ｍｍ程度）（Ｈ）の切込み部７Ａが形成されている。
【００２０】
又、本実施の形態による綿棒１Ａは、直径（ｄ）が２．５ｍｍ程度、長さ（Ｌ）が１５０ｍｍ程度の木軸によって形成されている軸部３と、当該軸部３の一端３ａに設けられ、天然綿繊維を直径（Ｄ）が１０ｍｍ程度、長さ（ａ）が２２ｍｍ程度の液滴形状に丸めた綿部５とを備えている。  
又、上記綿部５の先端部５ａに対して形成される切込み部７Ａは、２本の切込み線９、１１を９０°角度を異ならせ、放射状に交差させて配置することによって十字形状に形成されている。
尚、上記切込み部７Ａの切込み深さ（Ｈ）は、一例として２ｍｍ程度に設定されており、切込み部７Ａの長さ方向（Ｙ）に対して一様の深さになるように形成されている。又、綿部５の先端の切り込み部７は、その長さが綿部５の高さの半分かそれ以下が望ましい。又、切り込み部７Ａの切り込み線の数としては、これを特に限定するものではなく、例えば、２〜４個程度の範囲で任意に決定すればよい。
【００２１】
次に、このようにして構成される本実施の形態による綿棒１Ａを使用してイボ等Ａを除去する場合の作業手順について図５に基づいて説明する。  
使用する綿棒１Ａの綿部５の先端部５ａに対して形成されている切込み部７Ａは、当初、図５（ａ）に示すように交差した２本の切込み線９、１１によって形成される十字形状を有している。
【００２２】
イボ等Ａを除去する者は、軸部３の他端３ｂを持って図５（ｂ）に示すように液体窒素Ｎが充填されている容器２１内に軸部３の一端３ａに設けられている綿部５を先端部５ａ側から基端部５ｂにかけて入れ、綿部５に液体窒素Ｎを含浸させる。  
このようにして液体窒素Ｎを含浸した綿部５を容器２１から取り出すと、先端部５ａの切込み部７Ａは、図５（ｃ）に示すように広がっていき、切込み部７Ａの中心にはイボ等Ａを内嵌するために十分な大きさの嵌合空間２３が形成される。
【００２３】
次に、図５（ｄ）に示すように上記嵌合空間２３内にイボ等Ａが内嵌するように綿部５をイボ等Ａにあてがうと、１分程度で−８０℃程度に冷却され、イボ等Ａは凍結する。そして、図５（ｅ）に示すように綿棒１Ａを上方に引き上げるとイボ等Ａも綿部５といっしょになって引き上げられ、皮膚２５から切り離されて除去されることになる。  
このように、本実施の形態による綿棒１Ａを使用すれば、レーザー照射によるイボ等Ａの除去に比べて格段に安い費用で、且つ、患者に大きな負担を掛けることなくイボ等Ａを除去することができるようになる。
【００２４】
又、本実施の形態による綿棒１Ａを使用して虫さされ等によって腫れ上がった患部Ｂに対して消毒液Ｓを塗布する場合には、図６(ａ)(ｂ)に示すように切込み部７Ａを形成したことによって綿部５の先端部５ａの変形が容易になり、綿部５が患部Ｂの形状に馴染んでより広い接触面積が確保できるようになる。  
したがって、消毒液Ｓが効率良く患部Ｂに滲透し、腫れを鎮めて、回復を促がす効果が発揮される。
【００２５】
ここで、本実施の形態の場合と従来の場合とを対比してみる。表１は本実施の形態の場合と従来の場合とを対比して示すものであり、４人の手掌・足底疣贅患者で、従来の綿棒と切り込み７Ａが入った本実施の形態による綿棒１Ａを使用した場合の両方の効果を対比して示すものである。従来の綿棒を使用した凍結療法では、比較的小さい、病変の深達度が３ｍｍ以下の皮膚表層に限局した病変の凍結療法によいが、病変が深達性の場合、凍結効果が不十分なことが多く、治療回数は数回要してしまっていた。例えば、尋常性疣贅の場合、１〜３週の間隔をおいて凍結するのであるが、治療回数は１〜４回を要する。又、手掌・足底の疣贅の場合、何回凍結させても、脱落しないことが多い。
【００２６】
これに対して、本実施の形態の場合には、切り込み７Ａが入った綿棒１Ａを使用して凍結療法を行っているので、従来に比べ治療回数が大幅に減少しており、消費する綿棒及び液体窒素量が減少させることができ、一回の治療にかかわる治療コストを減らすことができる。又、治療期間が短縮でき、通院にかかる経済的負担を減らすことが可能となる。又、疣贅の場合、ウイルスの拡散による他人への感染を抑制することが可能となり、医療衛生の面からも望ましい。
尚、表１において、右端に示す効果であるが、本実施の形態の場合は従来に比べて治療効果が大幅に改善されていると共に、痛みについても改善されているものであり、治療時に患者が感じる痛みを大幅に軽減させることができるものである（表１中痛みに関しては「＜」と表示しているがこれは痛みについてより改善されていることを意味しており、換言すれば、痛みが減少していることを意味している）。
【００２７】
【表１】
2011120624.tif 000003
【００２８】
（２）第２の実施の形態（図７、図８参照）
第２の実施の形態による綿棒１Ｂの構造は、切込み部７Ｂの構造を除いて上記第１の実施の形態による綿棒１Ａの構造と同じである。したがって、ここでは第１の実施の形態と相違する切込み部７Ｂの構造に絞って説明する。  
即ち、本実施の形態の切込み部７Ｂは、図７、図８に示すように断面が一例としてＶ字形状の４本の切込み溝１５、１６、１７、１８を４５°間隔で放射状に交差させることによって形成されている。
【００２９】
尚、上記切込み部７Ｂの切込み深さ（Ｈ）は、上記第１の実施の形態と同様、一例として２ｍｍ程度に設定されており、切込み部７Ｂの長さ方向（Ｙ）に対して一様の深さになるように形成されている。  
そして、このような構造の綿棒１Ｂを使用した場合でも、上記第１の実施の形態の綿棒１Ａと同様の作用、効果が発揮されて、綿棒の細部の形状を一部改変するだけの簡単な構成によって、綿棒の用途の拡大を図り、イボ等Ａの除去にかかる費用の削減と患者に与える精神的あるいは肉体的な負担を軽減させることができる。
【００３０】
（３）第３の実施の形態（図９、図１０参照）
第３の実施の形態による綿棒１Ｃの構造は、切込み部７Ｃの構造を除いて上記第１の実施の形態による綿棒１Ａの構造と同じである。したがって、ここでは第１の実施の形態と相違する切込み部７Ｃの構造に絞って説明する。  
即ち、本実施の形態の切込み部７Ｃは、図８、図９に示すように３本の切込み線２９、３１、３３を一例として６０°間隔で放射状に交差させることによって形成されている。又、上記３本の切込み線２９、３１、３３の外方寄りの端部には、非切込み部３０、３２、３４が形成されていて、各切込み線２９、３１、３３の先端が綿部５の側周面６に達しないように形成されている。
【００３１】
尚、上記切込み部７Ｃの切込み深さ（Ｈょは、上記第１の実施の形態と同様、一例として２ｍｍ程度に設定されており、切込み部７Ｃの長さ方向（Ｙ）に対して一様の深さになるように形成されている。  
そして、このような構造の綿棒１Ｃを使用した場合でも、上記第１の実施の形態の綿棒１Ａと同様の作用、効果が発揮されて、綿棒の細部の形状を一部改変するだけの簡単な構成によって、綿棒の用途の拡大を図り、イボ等Ａの除去にかかる費用の削減と患者に与える精神的あるいは肉体的な負担を軽減させることができる。  
又、本実施の形態では切込み線２９、３１、３３の両端部に非込み部３０、３２、３４を設けたから、綿部５の剛性も高まる。
【００３２】
（４）第４の実施の形態（図１１参照）
第４の実施の形態による綿棒１Ｄの構造は、切込み部７Ｄの構造を除いて上記第１の実施の形態による綿棒１Ａの構造と同じである。したがって、ここでは第１の実施の形態と相違する切込み部７Ｄの構造に絞って説明する。  
即ち、本実施の形態の切込み部７Ｄは、上記第１の実施の形態と同様、２本の切込み線３７、３９を一例として９０°角度を異らせて放射状に交差させることによって形成されている。
【００３３】
そして、本実施の形態では、上記切込み部７Ｄの切込み深さ（Ｈ）が図１１に示すように中心部で深くＨ１（一例として３．５ｍｍ）になっており、外方に行くにしたがって徐々に浅くなり、綿部５の側周面６に達した位置での切込み深さ（Ｈ）がＨ２（一例として０．５ｍｍ）になっている。  
そして、このような構造の綿棒１Ｄを使用した場合でも、上記第１の実施の形態の綿棒１Ａと同様の作用、効果が発揮されて、綿棒の細部の形状を一部改変するだけの簡単な構成によって、綿棒の用途の拡大を図り、イボ等Ａの除去にかかる費用の削減と患者に与える精神的あるいは肉体的な負担を軽減させることができる。
【００３４】
又、本実施の形態では切込み部７Ｄの切込み深さ（Ｈ）が嵌合空間２３が形成される中心部で深く（Ｈ１）になっているから、嵌合空間２３の形成が容易になる。一方、切込み部７Ｄの切込み深さ（Ｈ）が綿部５の側周面６に達した位置で浅く（Ｈ２）になっているから、綿部５の剛性が維持される。
【００３５】
尚、本発明は、上述した第１〜第４の実施の形態に限定されるものではない。  
例えば、綿部５は、上述した各実施の形態のように軸部３の一端３ａのみに設ける構成の他、軸部３の一端３ａと他端３ｂの両端に設けることが可能である。
又、軸部３の両端３ａ、３ｂに綿部５を設ける場合には、２つの綿部５を同じものにしてもよいし、構造や大きさ、形状の違うものを１つずつ設けるようにすることも可能である。  
又、綿棒１の各部の寸法や形状あるいは切込み線や切込み溝の数は、上述した寸法や形状あるいは切込み線や切込み溝の数に限らず綿棒１を使用する対象の大きさや形状等に応じて種々の寸法、形状あるいは切込み線や切込み溝の数のものが採用可能である。
その他、図示した構成はあくまで一例である。
【産業上の利用可能性】
【００３６】
本発明は、例えば、医療現場や家庭において消毒液等を塗布するための治療補助具、耳や鼻の掃除具、化粧の補助具、精密機器等の清掃具等として使用されている綿棒に係り、特に綿部の先端部の形状を工夫することにより、医療現場や家庭における治療補助具としての機能を高めるようにしたものに関し、例えば、身体の表面にできたイボを冷凍・除去させる際に使用する治療補助具に好適である。
【符号の説明】
【００３７】
１  綿棒
３  軸部
３ａ  一端
３ｂ  他端
５  綿部
５ａ  先端部
５ｂ  基端部
６  側周面
７  切込み部
９  切込み線
１１  切込み線
１５  切込み溝
１６  切込み溝
１７  切込み溝
１８  切込み溝
２１  容器
２３  嵌合空間
２５  皮膚
２９  切込み線
３０  非切込み部
３１  切込み線
３２  非切込み部
３３  切込み部
３４  非切込み部
３７  切込み線
３９  切込み線
ｄ  直径
Ｌ  長さ
Ｄ  直径
ａ  長さ
Ｈ（切込み）深さ
Ａ  イボ等
Ｎ  液体窒素
Ｂ  患部
Ｓ  消毒液
Ｙ  長さ方向
【図１】
2011120624.tif 000004
【図２】
2011120624.tif 000005
【図３】
2011120624.tif 000006
【図４】
2011120624.tif 000007
【図５】
2011120624.tif 000008
【図６】
2011120624.tif 000009
【図７】
2011120624.tif 000010
【図８】
2011120624.tif 000011
【図９】
2011120624.tif 000012
【図１０】
2011120624.tif 000013
【図１１】
2011120624.tif 000014
【手続補正書】
【提出日】平成21年12月17日(2009.12.17)
【手続補正１】
【補正対象書類名】明細書
【補正対象項目名】００２７
【補正方法】変更
【補正の内容】
【００２７】
【表１】
2011120624.tif 000015